(57)【要約】【課題】製造コストを低減できるピックアップフレームを提供する。【解決手段】ピックアップフレーム８は、金属製の光学ベース３０と、光学ベース３０を支持する合成樹脂製の支持ベース３１と、を備えている。支持ベース３１は、ベース部材３２と、ベース部材３２と一体的に形成され光学処理部１７をＸ軸方向に押圧する２つの弾性部３７と、を有している。【選択図】図４
2010020871.tif 000002
【特許請求の範囲】
【請求項１】
光学系を有する光ピックアップ装置に用いられるピックアップフレームであって、
金属製の光学ベースと、
前記光学ベースを支持する合成樹脂製の部材であって、ベース部材と、前記ベース部材と一体的に形成され前記光学系を第１方向に押圧する少なくとも１つの第１押圧部と、を有する支持ベースと、
を備えた光ピックアップ装置用ピックアップフレーム。
【請求項２】
前記第１押圧部は、前記連結部と一体的に形成されており、前記光学系が前記光学ベースに装着されている状態で前記光学系と前記連結部との間で弾性変形するように設けられている、
請求項１に記載の光ピックアップ装置用ピックアップフレーム。
【請求項３】
前記連結部は、前記第１方向に直交する第２方向に延びる部分であり、
複数の前記第１押圧部は、前記第２方向に間隔を空けて配置されている、
請求項１または２に記載の光ピックアップ装置用ピックアップフレーム。
【請求項４】
前記第１押圧部は、全体として曲がった板状の部材である、
請求項１から３のいずれかに記載の光ピックアップ装置用ピックアップフレーム。
【請求項５】
前記光学ベースは、前記光学系を支持する光学ベース本体と、前記第１押圧部に対して前記光学ベース本体と反対側に配置された受け部と、を有しており、
前記受け部は、前記ベース部材と前記第１方向に当接している、
請求項１から４のいずれかに記載の光ピックアップ装置用ピックアップフレーム。
【請求項６】
前記ベース部材と一体的に形成され前記第１押圧部に対して前記第１方向の前記光学系側と反対側に前記光学ベースを押圧する第２押圧部をさらに備えた、
請求項１から５のいずれかに記載の光ピックアップ装置用ピックアップフレーム。
【請求項７】
前記光学ベースは、前記光学系を支持する光学ベース本体と、前記第１押圧部に対して前記光学ベース本体と反対側に配置された受け部と、を有しており、
前記受け部は、前記第２押圧部により前記第１方向の前記光学ベース本体と反対側に押圧されている、
請求項６に記載の光ピックアップ装置用ピックアップフレーム。
【請求項８】
前記第１方向は、前記光学系の光軸方向と概ね一致している、
請求項１から７のいずれかに記載の光ピックアップ装置用ピックアップフレーム。
【請求項９】
光を出射する発光素子と、
前記発光素子から出射された光を処理する光学処理部と、
前記光学処理部で処理された光を記録媒体に向けて集光する光照射部と、
請求項１から８のいずれかに記載のピックアップフレームと、
を備えた光ピックアップ装置。
【請求項１０】
請求項９に記載の光ピックアップ装置と、
前記光ピックアップ装置に対向可能に配置され、記録媒体を回転可能に支持するための記録媒体載置部と、
を備えた記録再生装置。
【発明の詳細な説明】
【技術分野】
【０００１】
本発明は、合成樹脂と金属を用いたハイブリッド型のピックアップフレーム、ピックアップフレームを用いた光ピックアップ装置、および光ピックアップ装置を用いた記録再生装置に関する。
【背景技術】
【０００２】
光学式情報記録媒体である光ディスク等にオーディオ信号、文字信号および映像信号等の情報を記録または再生する装置として、光学式情報記録再生装置（以下、「記録再生装置」という）が知られている。記録再生装置には、光ピックアップ装置が搭載されている。
この光ピックアップ装置には、発光素子として半導体レーザ素子が設けられている。光ピックアップ装置では、半導体レーザ素子から出射されるレーザ光が、光ディスク等の情報記録面に照射されることで記録マークが記入され、情報の記録が行われる。また、光ピックアップ装置から情報記録面に照射されたレーザ光の反射光を受光素子としての光検出器で受光することで、情報の再生が行われる。
しかし、近年、記録再生装置は、薄型ノートパソコンおよびビデオムービー等に用いられている。これら商品を利用するユーザーの負担を軽減するために、光ピックアップ装置も含めて記録再生装置の軽量化が望まれている。
【０００３】
そこで、半導体レーザ素子や受光素子等を搭載する光ピックアップ装置のピックアップフレームを、従来から用いられている金属部材から樹脂部材に変更することで軽量化が図られている。
しかしながら、樹脂部材のピックアップフレームは金属部材に比べると線膨張係数が大きいため、光ピックアップの高温動作時に熱膨張が起こり易く、熱膨張によるピックアップフレームの変形に伴って半導体レーザ素子、もしくは受光素子等の位置ズレが発生する。このため、正確な情報記録、もしくは光検出が困難になり、光ピックアップ装置の性能が著しく低下してしまう。
そこで、こうした光ピックアップ装置の軽量化と高温動作時の信頼性確保とを両立するために、ピックアップフレームを金属部材と樹脂部材とで構成するハイブリッド型のピックアップフレームが提案されている（例えば特許文献１および２を参照）。
【特許文献１】特開2002-184005号公報
【特許文献２】特開2007-157210号公報
【発明の開示】
【発明が解決しようとする課題】
【０００４】
光ピックアップ装置は、半導体レーザ素子から出射されるレーザ光を処理する光学処理部を備えている。光学処理部は、例えば回折格子やコリメートレンズを含んだ光学系であり、光学ベースに接着固定されている。
光学処理部をピックアップフレームに組み付ける際、光学処理部を通過したレーザ光のビーム強度を測定しながら光学ベースに対する光学処理部の位置決めを行われる。位置決めの際、光学処理部は光学ベースに対して金属製のバネ部材により光軸方向に押圧されており、主に光軸方向に直交する方向の位置が調整される。光学処理部の位置調整の後、光学処理部は光学ベースに接着剤により固定される。このように、バネ部材は、組み付け時に使用される部材であり、組み付けが終了した後は不要となる。
しかし、バネ部材が光学ベースおよび支持ベースとは別部材であるため、部品点数が増加し、製造コストが増大する。
【０００５】
本発明の課題は、製造コストを低減できるピックアップフレーム、光ピックアップ装置および記録再生装置を提供することにある。
【課題を解決するための手段】
【０００６】
第１の発明に係るピックアップフレームは、光学系を有する光ピックアップ装置に用いられるフレームであって、金属製の光学ベースと、光学ベースを支持する合成樹脂製の支持ベースと、を備えている。支持ベースは、ベース部材と、ベース部材と一体的に形成され光学系を第１方向に押圧する少なくとも１つの第１押圧部と、を有している。
このピックアップフレームでは、第１押圧部がベース部材と一体的に形成されているため、第１押圧部がベース部材と別体で形成されている場合に比べて、製造コストを低減できる。
第２の発明に係るピックアップフレームは、第１の発明に係るピックアップフレームにおいて、第１押圧部は、連結部と一体的に形成されており、光学系が光学ベースに装着されている状態で光学系と連結部との間で弾性変形するように設けられている。
【０００７】
第３の発明に係るピックアップフレームは、第１または第２の発明に係るピックアップフレームにおいて、連結部は第１方向に直交する第２方向に延びる部分である。複数の第１押圧部は第２方向に間隔を空けて配置されている。
第４の発明に係るピックアップフレームは、第１から第３のいずれかの発明に係るピックアップフレームにおいて、第１押圧部は全体として曲がった板状の部材である。
ここで、「全体として曲がった板状の部材」とは、例えば、途中で折れ曲がった形状や緩やかに湾曲した形状を含んでいる。
第５の発明に係るピックアップフレームは、第１から第４のいずれかの発明に係るピックアップフレームにおいて、光学ベースは、光学系を支持する光学ベース本体と、第１押圧部に対して光学ベース本体と反対側に配置された受け部と、を有している。受け部はベース部材と第１方向に当接している。
【０００８】
第６の発明に係るピックアップフレームは、第１から第５のいずれかの発明に係るピックアップフレームにおいて、第２押圧部をさらに備えている。第２押圧部は、ベース部材と一体的に形成されており、第１押圧部に対して第１方向の光学系側と反対側に光学ベースを押圧する。
第７の発明に係るピックアップフレームは、第６の発明に係るピックアップフレームにおいて、光学ベースは、光学系を支持する光学ベース本体と、第１押圧部に対して光学ベース本体と反対側に配置された受け部と、を有している。受け部は、第２押圧部により第１方向の光学ベース本体と反対側に押圧されている。
第８の発明に係るピックアップフレームは、第１から第７のいずれかの発明に係るピックアップフレームにおいて、第１方向は光学系の光軸方向と概ね一致している。
【０００９】
第９の発明に係るピックアップフレームは、光を出射する発光素子と、光学処理部と、光照射部と、第１から第８のいずれかの発明に係るピックアップフレームと、を備えている。光学処理部は発光素子から出射された光を処理する。光照射部は光学処理部で処理された光を記録媒体に向けて集光する。
この光ピックアップ装置では、第１から第８のいずれかの発明に係るピックアップフレームを備えているため、製造コストを低減することができる。
第１０の発明に係るピックアップフレームは、第９の発明に係る光ピックアップ装置と、記録媒体光載置部と、を備えている。記録媒体載置部は、ピックアップ装置に対向可能に配置されており、記録媒体を回転可能に支持する。
この記録再生装置では、第９の発明に係る光ピックアップ装置を備えているため、製造コストを低減することができる。
【発明の効果】
【００１０】
本発明に係るピックアップフレーム、光ピックアップ装置および記録再生装置であれば、製造コストを低減できる。
【発明を実施するための最良の形態】
【００１１】
以下、図面を参照しながら本発明の実施形態について説明する。
＜記録再生装置の構成＞
図１および図２を用いて記録再生装置１の構成について説明する。図１に記録再生装置１の概略斜視図、図２に記録再生装置１の部分斜視図を示す。なお、以降の説明では、図１の右斜め方向をＸ軸方向（第１方向の一例）、光ピックアップ装置４のトラッキング方向である図１の左右方向をＹ軸方向（第２方向の一例）、Ｘ軸およびＹ軸に直交する方向（図１の上下方向）をＺ軸方向とし、図１において、右斜め上側をＸ軸方向正側、左側をＹ軸方向正側、上側をＺ軸方向正側とする。Ｘ軸方向は光学処理部１７（後述）の光軸方向と概ね一致している。
図１に示すように、記録再生装置１は主に、光ディスク２が回転可能に載置されるディスク載置部６と、ディスク載置部６上に載置され光ディスク２を回転させるスピンドルモータ７と、光ディスク２に対して情報の記録および再生を行う光ピックアップ装置４と、光ディスク２に対して光ピックアップ装置４を移動可能に支持する移動機構５と、を備えている。
【００１２】
移動機構５は主に、光ピックアップ装置４を移動させるために平行に配置された主軸９ａおよび副軸９ｂと、主軸９ａを回転させるモータ（図示せず）を備えた固定台１０と、を有している。
主軸９ａは、固定台１０にＹ軸方向に沿って配置されており、光ピックアップ装置４の後述するピックアップフレーム８に螺合するねじ部（図示せず）を有している。主軸９ａが回転することで、光ピックアップ装置４が光ディスク２の半径方向と平行なＹ軸方向に移動する。主軸９ａは、ピックアップフレーム８がＹ軸方向以外に移動するのを規制する機能も有している。
副軸９ｂは、主軸９ａ回りにピックアップフレーム８が回動するのを規制するとともに、ピックアップフレーム８をＹ軸方向に移動可能に支持している。光ピックアップ装置４は主軸９ａに沿って移動する。これにより、光ピックアップ装置４は光ディスク２に対して、外周側および内周側に移動可能である。なお、光ピックアップ装置４を光ディスク２に対して移動させる機構は、上述の機構に限定されない。
【００１３】
＜光ピックアップ装置の構成＞
図３から図６を用いて光ピックアップ装置４の構成について説明する。図３に光ピックアップ装置４の平面図、図４にハイブリッド型のピックアップフレーム８の斜視図、図５に支持ベース３１の斜視図、図６に図４のVI−VI断面図を示す。
図３に示すように、光ピックアップ装置４は、主に、金属製の部材と合成樹脂製の部材とを有するハイブリッド型のピックアップフレーム８と、レーザ光を出射する、たとえば半導体レーザ素子からなる発光素子１１と、光ディスク（図示せず）で反射されたレーザ光の反射光を検出して電流に変換する受光素子１３と、発光素子１１のレーザ光の強度を検出する強度センサ１５と、を備えている。
さらに、光ピックアップ装置４は、発光素子１１から出射されるレーザ光を反射させたり、平行光に変換したり、光ディスクからの反射光を反射させたりする光学処理部１７（光学系の一例）と、光学処理部１７で平行光に変換されたレーザ光を光ディスクの情報記録面に集光し、その集光されたレーザ光の焦点を光ディスクの情報記録面に合わせるための対物レンズ（光照射部の一例）１９と、対物レンズ１９を光ディスクに対してフォーカス方向およびトラッキング方向（Ｙ軸方向）に駆動させるアクチュエータ２１と、を備えている。光学処理部１７は、回折格子、コリメートレンズ、検出レンズ、立上げプリズム等を含んでいる。
【００１４】
＜ピックアップフレーム＞
ピックアップフレーム８は、図３から図６に示すように、対物レンズ１９以外の光学部品、すなわち、発光素子１１、受光素子１３、光学処理部１７を支持する光学ベース３０と、強度センサ１５および光学ベース３０を支持する支持ベース３１と、を有している。
また、ピックアップフレーム８は、支持ベース３１のＸ軸方向の第１端（図３右端）に設けられ支持ベース３１がＹ軸方向以外の方向に可動するのを規制する第１規制部３６と、支持ベース３１のＸ軸方向の第２端（図３左端）に設けられ支持ベース３１がＹ軸方向の軸回りに回動するのを規制する第２規制部３８と、を有している。
（１）光学ベース
光学ベース３０は発光素子１１、受光素子１３および光学処理部１７を支持するための部材であり、光学ベース３０には発光素子１１、受光素子１３および光学処理部１７が接着剤により固定されている。光学ベース３０は、たとえば、亜鉛やマグネシウムやアルミニウム等を主成分とする合金製であり、ダイカストにより製造された熱伝導性が良好な金属製の部材である。光学ベース３０は、支持ベース３１より僅かに薄い概ね矩形の板状部材である。
【００１５】
光学ベース３０は、発光素子１１が接着剤により固定された発光素子支持部３０ａと、受光素子１３および光学処理部１７が接着により固定された光学処理部支持部３０ｂと、を有している。発光素子支持部３０ａおよび光学処理部支持部３０ｂは支持ベース３１に接着剤により固定されている。
発光素子１１は発光素子支持部３０ａと直接的に接触しておらず、発光素子１１と発光素子支持部３０ａとの間には隙間が確保されている。この状態で、発光素子１１は発光素子支持部３０ａに接着剤により固定されている。
また、光学処理部１７は光学処理部支持部３０ｂと直接的に接触しておらず、光学処理部１７と光学処理部支持部３０ｂとの間には隙間が確保されている。この状態で、光学処理部１７は光学処理部支持部３０ｂに接着剤により固定されている。
【００１６】
また、発光素子支持部３０ａは、概ねＵ字形状を有しており、連結部３４とＸ軸方向に対向して配置された受け部３０ｃを有している。図６に示すように、受け部３０ｃは、弾性部３７に対して光学処理部支持部３０ｂと反対側に配置されており、連結部３４とＸ軸方向に当接している。弾性部３７が光学処理部１７を押圧する際に連結部３４に作用する反力を受けている。このため、弾性部３７の押圧力が光学ベース３０内で相殺され、弾性部３７の押圧力が支持ベース３１に影響しない。
（２）支持ベース
支持ベース３１は、光学ベース３０を支持するための部材であり、ベース部材３２と、２つの弾性部３７（第１押圧部の一例）と、を有している。ベース部材３２および弾性部３７は一体で形成されている。支持ベース３１には開口３３が形成されている。支持ベース３１の材質としては、例えば、LCP（液晶ポリマー樹脂）、PPS（ポリフェニレンサルファイド樹脂）が考えられる。
【００１７】
ベース部材３２は支持ベース３１の主要部を形成する部分である。具体的には、ベース部材３２は、第１支持部３２ａと、第１支持部３２ａと隙間を介して配置された第２支持部３２ｂと、第１支持部３２ａおよび第２支持部３２ｂのＸ軸方向正側の端部同士を連結する第３支持部３２ｃと、第１支持部３２ａおよび第２支持部３２ｂのＸ軸方向負側の端部同士を連結する連結部３４と、を有している。連結部３４は、Ｙ軸方向に延びる細長い部分であり、光学処理部１７のＸ軸方向負側に配置されている。連結部３４は光学処理部１７の光路を避けるように配置されている。
弾性部３７は、連結部３４と一体的に形成された部分であり、光学処理部１７をＸ軸方向正側に押圧している。２つの弾性部３７は、光学処理部１７の光路を避けるように、Ｙ軸方向に間隔を空けて配置されている。例えば、２つの弾性部３７は光学処理部１７の光軸を挟んでＹ軸方向に対称な位置に配置されている。弾性部３７は、光学処理部１７が光学ベース３０に装着されている状態で光学処理部１７と連結部３４との間で弾性変形するように設けられている。例えば、弾性部３７はＸ軸方向負側に折り曲げられている。
【００１８】
図５および図６に示すように、弾性部３７は、連結部３４から光学処理部１７側に突出しており、光学処理部１７が設置されていない状態で全体としてＺ軸方向正側に向かって折れ曲がっている。より詳細には、弾性部３７は、連結部３４から光学処理部１７側に突出する第１部分３７ａと、第１部分３７ａの端部から突出する第２部分３７ｂと、を有している。第２部分３７ｂの先端は光学処理部１７と接触している。Ｘ軸に直交する面と第１部分３７ａとの間の角度θ１は、Ｘ軸に直交する面と第２部分３７ｂとの間の角度θ２よりも大きい。
＜光学処理部の位置調整＞
光ピックアップ装置４の製造過程において、まず支持ベース３１に光学ベース３０が接着固定される。光学ベース３０の接着後、発光素子１１および受光素子１３が光学ベース３０に接着剤により固定される。また、光学処理部１７が光学ベース３０の光学処理部支持部３０ｂに設置される。光学処理部１７を設置する際、弾性部３７が連結部３４と光学処理部１７との間でＸ軸方向に弾性変形する。この結果、弾性部３７により光学処理部１７がＸ軸方向正側に押圧される。
【００１９】
光学処理部１７が光学ベース３０に接着固定される前に、ピックアップフレーム８に対する光学処理部１７の位置調整が行われる。具体的には、発光素子１１からレーザ光が出射された状態で、光学処理部１７を通過するレーザ光のビーム強度が測定しながら、光学ベース３０に対する光学処理部１７の位置の調整が行われる。光学処理部１７の位置調整は、光学ベース３０に対して光学処理部１７をＹ軸方向に動かしたり、あるいはＸ軸回りに回転させたりすることで行われる。
測定ビーム強度が所望のレベル以上となる位置に光学処理部１７が配置されている状態で、光学処理部１７が光学ベース３０に接着剤により固定される。これにより、光学処理部１７の位置調整を行うことができる。
なお、温度変化による膨張および収縮を考慮して、光学処理部１７と光学処理部支持部３０ｂの側面３０ｄ（図３）との間には、隙間が確保される必要がある。このため、光学処理部１７の位置調整をする際には、光学処理部１７と側面３０ｄとの間に、例えば隙間確保用のプレート（図示せず）が挟み込まれている。光学処理部１７の接着固定後、このプレートは取り外される。
【００２０】
＜比較例＞
ここで、ピックアップフレーム８の比較例について説明する。図７は比較例としてのピックアップフレーム３０８の斜視図である。図８はバネ部材３９０の斜視図である。なお、前述の構成と実質的に同じ構成については同じ符号を付し、その詳細な説明は省略する。
図７に示すように、比較例としてのピックアップフレーム３０８では、前述の弾性部３７に対応する部分を支持ベース３１が有しておらず、連結部３４と光学処理部１７との間にバネ部材３９０が差し込まれている。バネ部材３９０は連結部３４と光学処理部１７との間でＸ軸方向に圧縮されている。図８に示すように、バネ部材３９０は、金属製の部材であり、概ねＵ字状の断面形状を有している。
【００２１】
この場合、バネ部材３９０が支持ベース３１や光学ベース３０と別部材であるため、バネ部材３９０の製造工程やバネ部材３９０の装着工程が必要となる。この結果、このピックアップフレーム３０８では製造コストが高くなる傾向にある。
＜特徴＞
以上に説明したピックアップフレーム８の特徴を以下にまとめる。
（１）
このピックアップフレーム８では、弾性部３７がベース部材３２と一体的に形成されているため、弾性部３７がベース部材３２と別体で形成されている場合に比べて、製造コストを低減できる。
（２）
このピックアップフレーム８では、弾性部３７が光学処理部１７と連結部３４との間で弾性変形しているため、弾性部３７の弾性力を利用して光学処理部１７をＸ軸方向に押圧することができる。
【００２２】
（３）
このピックアップフレーム８では、複数の弾性部３７がＹ軸方向に間隔を空けて配置されているため、１箇所で光学処理部１７を押圧する場合に比べて光学処理部１７の位置調整時において光学処理部１７の姿勢が安定しやすい。
（４）
このピックアップフレーム８では、弾性部３７が全体として曲がった板状の部材であるため、弾性部３７の曲げ変形により生じる弾性力を押圧力として利用でき、押圧力を適度な大きさに設定しやすくなる。
（５）
このピックアップフレーム８では、弾性部３７に対して光学ベース３０本体と反対側に配置された受け部３０ｃがベース部材３２とＸ軸方向に当接しているため、弾性部３７が光学処理部１７を押圧している状態であっても、弾性部３７の押圧力とベース部材３２に作用する反力とが最終的に光学ベース３０内で相殺される。これにより、弾性部３７の押圧力による支持ベース３１の変形や支持ベース３１に対する光学ベース３０の位置ずれを抑制できる。
【００２３】
（６）
このピックアップフレーム８では、Ｘ軸方向が光学処理部１７の光軸方向と概ね一致しているため、光学処理部１７をＹ軸方向へ移動させたり、あるいは、光学処理部１７をＸ軸回りに回転させたりすることで、光学処理部１７の光軸ずれを容易に調整できる。
（７）
以上に説明したように、この光ピックアップ装置４および記録再生装置１では、ピックアップフレーム８を備えているため、製造コストを低減することができる。
＜第２実施形態＞
図９〜図１１を用いて、第２実施形態に係るピックアップフレーム１０８について説明する。図９はピックアップフレーム１０８の概略斜視図である。図１０は支持ベース１３１の概略斜視図である。図１１は図９のXI−XI断面図である。なお、第１実施形態の構成と実質的に同じ構成ついては、同じ符号を使用し、その詳細な説明は省略する。
【００２４】
図９および図１０に示すように、このピックアップフレーム１０８の支持ベース１３１は、前述の弾性部３７に加えて、２つの第２弾性部１３９を有している。第２弾性部１３９は、連結部３４と一体的に形成されており、連結部３４の弾性部３７と反対側に配置されている。第２弾性部１３９は連結部３４からＸ軸方向負側（Ｘ軸方向の光学処理部１７側と反対側）に突出している。２つの第２弾性部１３９はＹ軸方向に間隔を空けて配置されている。
弾性部３７と同様に、第２弾性部１３９は全体として折れ曲がった形状を有している。具体的には、第２弾性部１３９は、連結部３４から突出する第３部分１３９ａと、第３部分１３９ａの端部から突出する第４部分１３９ｂと、を有している。第４部分１３９ｂの先端は光学ベース３０の受け部１３０ｃと接触している。Ｘ軸に直交する面と第３部分１３９ａとの間の角度θ１１は、Ｘ軸に直交する面と第４部分１３９ｂとの間の角度θ１２よりも大きい。
【００２５】
受け部１３０ｃと連結部３４とのＸ軸方向間には隙間が確保されている。つまり、受け部１３０ｃは連結部３４とＸ軸方向に当接していない。受け部１３０ｃと連結部３４との間で第２弾性部１３９はＸ軸方向に弾性変形している。この結果、受け部１３０ｃは第２弾性部１３９によりＸ軸方向の光学処理部支持部３０ｂと反対側に押圧されている。
このピックアップフレーム１０８では、第２弾性部１３９がＸ軸方向負側に光学ベース３０を押圧しているため、弾性部３７が光学処理部１７を押圧している状態であっても、弾性部３７の押圧力と第２弾性部１３９の押圧力とが最終的に光学ベース３０内で相殺される。これにより、弾性部３７の押圧力による支持ベース３１の変形や支持ベース３１に対する光学ベース３０の位置ずれを抑制できる。
特に、弾性部３７によりベース部材３２の一部に捩りモーメントＭ１が作用する場合、第２押圧部によりベース部材３２の一部に逆方向の捩りモーメントＭ２を作用させることで、ベース部材３２（より詳細には連結部３４）の変形を抑制できる。
【００２６】
＜他の実施形態＞
本発明の具体的な構成は、前述の実施形態に限られるものではなく、発明の要旨を逸脱しない範囲で種々の変更および修正が可能である。
（１）
弾性部３７および第２弾性部１３９の数量や形状は前述の実施形態に限定されない。例えば、弾性部３７および第２弾性部１３９の数量は、１つであってもよいし、３つ以上であってもよい。
また、弾性部３７および第２弾性部１３９は折れ曲がった形状を有しているが、緩やかに湾曲していてもよい。また、弾性部３７および第２弾性部１３９は板状の部分であるが、押圧力を他の部材に付与できる形状であれば、その他の形状（例えば、棒状）であってもよい。
【００２７】
（２）
前述の第１実施形態では、受け部３０ｃが連結部３４とＸ軸方向に当接しているが、受け部１３０ｃのように連結部３４に当接していなくてもよい。この場合、連結部３４の強度が十分に確保できていれば、受け部３０ｃが光学ベース３０に当接していなくても連結部３４の変形は防止できる。また、光学ベース３０と支持ベース３１との接着部分の強度が十分に確保できていれば、受け部３０ｃが光学ベース３０に当接していなくても光学ベース３０の位置ずれは抑制できる。
【産業上の利用可能性】
【００２８】
本発明に係るピックアップフレーム、光ピックアップ装置および記録再生装置では、製造コストを低減できるため、本発明は光ピックアップ装置および記録再生装置の分野において有用である。
【図面の簡単な説明】
【００２９】
【図１】記録再生装置の概略斜視図
【図２】記録再生装置の一部の概略斜視図
【図３】光ピックアップ装置の平面図
【図４】ピックアップフレームの概略斜視図
【図５】支持ベースの概略斜視図
【図６】図４のVI−VI断面図
【図７】比較例としてのピックアップフレームの概略斜視図
【図８】バネ部材の概略斜視図
【図９】ピックアップフレームの概略斜視図（第２実施形態）
【図１０】支持ベースの概略斜視図（第２実施形態）
【図１１】図９のXI−XI断面図（第２実施形態）
【符号の説明】
【００３０】
１  記録再生装置
２  光ディスク（光学式情報記録媒体）
３  ディスクカートリッジ
４  光ピックアップ装置
８  ピックアップフレーム
９ａ  主軸
９ｂ  副軸
１０  固定台
１１  発光素子
１７  光学処理部（光学系の一例）
１９  対物レンズ（光照射部の一例）
３０  光学ベース
３０ａ  発光素子支持部
３０ｂ  光学処理部支持部
３０ｃ  受け部
３１  支持ベース
３４  連結部
３７  弾性部（第１押圧部の一例）
３７ａ  第１部分
３７ｂ  第２部分
１３９  第２弾性部（第２押圧部の一例）
１３９ａ  第３部分
１３９ｂ  第４部分
【図１】
2010020871.tif 000003
【図２】
2010020871.tif 000004
【図３】
2010020871.tif 000005
【図４】
2010020871.tif 000006
【図５】
2010020871.tif 000007
【図６】
2010020871.tif 000008
【図７】
2010020871.tif 000009
【図８】
2010020871.tif 000010
【図９】
2010020871.tif 000011
【図１０】
2010020871.tif 000012
【図１１】
2010020871.tif 000013